(57)【特許請求の範囲】
【請求項１】
各部屋入口に設置される自動施錠機構付きの電気錠本体と、それぞれの部屋への入室資格を表す個人ＩＤコードならびに部屋番号を記憶させることができ前記電気錠本体に適合するカードキー手段と、当該電気錠の設置されている部屋に正規入室資格を有する各個人のバイオメトリクス情報ならびに個人ＩＤコードを部屋番号と関連付けて登録するためのバイオメトリクス情報登録装置と、該バイオメトリクス情報登録装置によって入力された情報を部屋番号と関連付けて登録しておくためのバイオメトリクス情報登録テーブルと、前記電気錠本体が取り付けられている部屋の付近に設けられていて前記正規の入室資格を有する各個のバイオメトリクス情報を随時入力するためのバイオメトリクス情報認証端末と、を備え、
前記バイオメトリクス情報登録テーブルに登録された個人のＩＤコードと前記カードキー手段が前記電気錠本体に挿入された際に発生される個人ＩＤコード情報とを照合して同一性有りと判断された際に該当する部屋番号の電気錠本体を開錠する信号を発生し、さらに、前記認証端末に対して前記正規の入室資格を有する個人が新たに入力したバイオメトリクス情報と前記バイオメトリクス情報登録テーブルに登録されているバイオメトリクス情報とを照合し、両者が同一性有りと判断された際に所定時間に限って前記電気錠本体を開錠する信号を発生するように構成された、ことを特徴とするセキュリティ強化自動施錠装置。
【請求項２】
前記バイオメトリクス情報が、登録本人の指紋、声紋、虹彩、掌の血管の１またはそれ以上の組み合わせから得られる情報である、ことを特徴とする請求項１に記載のセキュリティ強化自動施錠装置。
【請求項３】
前記個人のバイオメトリクス情報を入力するための入力端末が、前記多層階の各階毎に少なくとも１基が設置される、ことを特徴とする請求項１または２のいずれかに記載のセキュリティ強化自動施錠装置。
【請求項４】
前記カードキーに使用者個人毎に個人ＩＤコードその他個人情報が記憶せしめられる、ことを特徴とする請求項１ないし３のいずれかに記載のセキュリティ強化自動施錠装置。
【請求項５】
前記カードキーに当該室に入室許可された全員の個人ＩＤコードその他個人情報が合わせて記憶せしめられる、ことを特徴とする請求項１ないし４のいずれかに記載のセキュリティ強化自動施錠装置。
【請求項６】
紛失ないし契約解除等により前記カードキーを無効にする必要が生じた際に、前記バイオメトリクス情報登録テーブルに登録されているバイオメトリクス情報および個人ＩＤコードその他個人情報を削除もしくは書き換えにより旧カードキーを使用不可能とする、ことを特徴とする請求項１ないし５のいずれかに記載のセキュリティ強化自動施錠装置。
【発明の詳細な説明】
【技術分野】
【０００１】
本発明は、アパート、マンション、ウィークリーマンション、寮、社宅等のように所定期間以上滞在する各種の集合住宅に適用可能な自動施錠装置（オートロックドアシステム）に関し、特に居住者、利用者等の個人認証データを加味したセキュリティ強化自動施錠装置に関する。
【背景技術】
【０００２】
従来から、ホテル、旅館等のドアにあっては、室内のドアノブを回せばいつでも開放可能であるが、室外に出る際はその都度鍵を使用することなくドア閉鎖に伴って自動的に施錠される自動施錠装置を備えた、いわゆるオートロックドアシステムが広く採用されている。このようなオートロックドアシステムは、部屋を出る際の施錠忘れによる盗難や不法入室等を防止するために有効であることが知られている。しかしながら、ウッカリ鍵を所持せずに外出して部屋に入れなくなる事例も枚挙に暇がない。
【０００３】
近年は、セキュリティ強化の観点からオートロックドアシステムが広く採用される傾向にあり、特に磁気式やＩＣ内蔵式などのカードキーを利用する電気・電子式のオートロックドアシステムも広く普及している。カードキーの場合、ポケット、定期入れ、財布、ハンドバッグ、セカンドポーチ等に収納し易くて持参しやすく、従来の金属製鍵に比して利便性は僅かながら向上しているともいえる。さらなるセキュリティ向上の手段として指紋、声紋、虹彩、掌紋、掌の血管、特に静脈の形状等を検出するバイオメトリクス認証を利用する施錠システムも広く開発されており随所で採用されつつある。
【０００４】
特許文献１は、扉数の多い大規模ホテルその他建築物におけるバイオメトリクス情報を採用した電気錠を用いる出入管理装置において、個人の身体上の特徴を抽出して個人番号を定め、通行の可否を判断して施開錠を行う場合、多数の利用者が集中するとバイオメトリクスデータの処理に当たるバイオメトリクス認証サーバに処理が集中して応答が遅くなる事態を解消しようとするものである。ここでは個人認証識別装置から抽出された個人の特徴情報の認証を行い、特定した個人番号を返信する複数のバイオメトリクス認証サーバを用いることにより、処理時間の短縮、したがって応答性を向上させる技術思想を開示するものである。
【０００５】
特許文献２は、バイオメトリクス認証方式を利用した電子鍵錠装置において、強誘電液晶等のメモリー性を持った液晶を鍵手段とし、光アドレス型方式によって書き込みを行う高精細の液晶表示素子を用いて、液晶表示部にパターンを表示し、そのパターンが電子錠側に予め記憶させておいたパターンと一致した場合に開錠を行うように構成して、誤認証や誤開錠を防止してセキュリティを向上させることを開示している。
【特許文献１】特開２００４‐６８４１１号公報
【特許文献２】特開２００３‐２７８４１６号公報
【発明の開示】
【発明が解決しようとする課題】
【０００６】
本発明の課題は、集合住宅等における自動施錠機構に対して居住者等の正規の入室資格の有無を各個のバイオメトリクス情報によって確認する機構を付加することによりセキュリティを向上させると共に、正規の入室資格を備えた個人に対しては鍵やカードキーを室内等に置き忘れた場合であっても一時的開錠を許可するセキュリティ強化自動施錠装置を提供することにある。
【課題を解決するための手段】
【０００７】
請求項１に記載の発明は、各部屋入口に設置される自動施錠機構付きの電気錠本体１０と、それぞれの部屋への入室資格を表す個人ＩＤコードならびに部屋番号を記憶させることができ前記電気錠本体に適合するカードキー手段と、当該電気錠の設置されている部屋に正規入室資格を有する各個人のバイオメトリクス情報ならびに個人ＩＤコードを部屋番号と関連付けて登録するためのバイオメトリクス情報登録装置３０と、該バイオメトリクス情報登録装置によって入力された情報を部屋番号と関連付けて登録しておくためのバイオメトリクス情報登録テーブル２０と、前記電気錠本体が取り付けられている部屋の付近に設けられていて前記正規の入室資格を有する各個のバイオメトリクス情報を随時入力するためのバイオメトリクス情報認証端末４０と、を備え、前記バイオメトリクス情報登録テーブル２０に登録された個人のＩＤコードと前記カードキー手段が前記電気錠本体１０に挿入された際に発生される個人ＩＤコード情報とを照合して同一性有りと判断された際に該当する部屋番号の電気錠本体を開錠する信号を発生し、さらに、前記認証端末４０に対して前記正規の入室資格を有する個人が新たに入力したバイオメトリクス情報と前記バイオメトリクス情報登録テーブル２０に登録されているバイオメトリクス情報とを照合し、両者が同一性有りと判断された際に所定時間に限って前記電気錠本体を開錠する信号を発生するように構成されたセキュリティ強化自動施錠装置であることを特徴とする。
【０００８】
請求項２に記載の発明は、前記バイオメトリクス情報が、登録本人の指紋、声紋、虹彩、掌の血管の１またはそれ以上の組み合わせから得られる情報である、ことを特徴とするセキュリティ強化自動施錠装置である。
【０００９】
請求項３に記載の発明は、前記個人のバイオメトリクス情報を入力するための入力端末が、前記多層階の各階毎に少なくとも１基が設置される、ことを特徴とするセキュリティ強化自動施錠装置である。
【００１０】
請求項４に記載の発明は、前記カードキーに使用者個人毎に個人ＩＤコードその他個人情報が記憶せしめられることを特徴とするセキュリティ強化自動施錠装置である。この場合は、各カードキーはそれぞれの個人特有のカードとなり、同室入居者であっても各人が使い分ける必要がある。
【００１１】
請求項５に記載の発明は、前記カードキーに当該室に入室許可された全員の個人ＩＤコードその他個人情報が合わせて記憶せしめられる、ことを特徴とするセキュリティ強化自動施錠装置である。このような構成によれば登録されている同居者全員がカードを共用することができることになり、実用上便宜である。
【００１２】
請求項６に記載の発明は、紛失ないし契約解除等により前記カードキーを無効にする必要が生じた際に、前記バイオメトリクス情報登録テーブル２０に登録されているバイオメトリクス情報および個人ＩＤコードその他個人情報を削除もしくは書き換えにより旧カードキーを使用不可能とすることができることを特徴とするセキュリティ強化自動施錠装置である。このような構成により、入居者が転居等により変更された場合に、その都度電気錠本体を交換することなく、単にバイオメトリクス情報登録テーブルの記憶内容の変更によって対応可能となる。
【発明の効果】
【００１３】
本発明に係るセキュリティ強化自動施錠装置では、各種の集合住宅に適用可能な自動施錠装置（オートロックドアシステム）に対して、各室毎の居住者その他正規の入室資格を有する個人を確認するために、各個に固有の生体情報ならびに個人ＩＤコードを部屋番号と対応させて予め登録するための各個のバイオメトリクス情報登録テーブルを設けている。入室資格を有する各個人の使用するカードキー（またはＩＣキー）には部屋番号ならびに個人ＩＤコードその他必要な個人特定情報が記憶されている。この場合、当該部屋に対する入室許可者が複数である場合に各個毎にそれぞれ単独の個人ＩＤコードを記憶させるか家族など入室可能者全員の個人ＩＤコードを含めるかは適宜選択することができる。
【００１４】
カードキーが入室希望者によって当該部屋番号の電気錠カード入口に挿入されると、その部屋番号に対応させて各個のバイオメトリクス情報登録テーブルを参照し、既登録の個人ＩＤコードとカードキーに登録されている個人ＩＤコードとを照合する。そして、これらデータの同一性が確認されて正規の入室許可者と判断された場合にのみ前記電気錠を開錠する信号を発生するように構成される。したがって、カードキーが挿入される都度、当該部屋番号に対して正規の入室許可者である場合にのみ開錠信号が送出される。なお、各個のバイオメトリクス情報登録テーブルの登録、維持、管理は、管理人、管理組合、管理会社等による厳重な管理体制化において管理されるものとする。また、本発明に係るセキュリティ強化自動施錠装置は、ピッキング等による不法侵入阻止にも貢献するものである。
【００１５】
本発明に係るセキュリティ強化自動施錠装置では、さらに、カードキーを所持せずに室外に出て自動施錠されてしまった場合に、個人のバイオメトリクス情報を随時入力するための入力端末に対して既登録バイオメトリクス情報と同種のバイオメトリクス情報を入力する。新たに入力されたバイオメトリクス情報とバイオメトリクス情報登録テーブルの既登録データとの一致が確認されると、予め設定されている遅延時間内に限り開錠信号が発生され、入室可能となる。かかる構成を採用した結果、仮にカードキーを紛失した場合であってもバイオメトリクス情報登録テーブルに登録されている旧データを一部書き換えることにより、紛失した旧カードによる違法入室を阻止することができる。
【００１６】
さらに、入室者が契約解除したような場合にも、バイオメトリクス情報登録テーブルに登録されている該当データを無効とすることにより旧カードキーを使用不能とし、高価で作業も複雑である自動施錠機構付きの電気錠本体の交換等を行うことなしに不正入室を阻止することができる。新たな情報は、新規入居者に対して新たなカードキーを発行する際に対応する個人ＩＤコード、部屋番号、各個のバイオメトリクス情報の登録を行えばよい。各個のバイオメトリクス情報登録テーブルの登録、維持、管理は前述のように厳重な管理体制化において管理されるため、セキュリティを強化しながら経済的な運用が可能となる。
【発明を実施するための最良の形態】
【００１７】
以下、添付図を参照しつつ本発明の好適な実施の形態について開示する。図１は、本発明に係るセキュリティ強化自動施錠装置の実施例を示すシステム構成ブロック図である。電気錠本体１０は、一般的錠前と同様に框側の受け穴に向けて出入可能な閂を備えた施錠機構１２と、ＩＣカードキーその他様式のカードキー挿入・読み取り部１４とを備えている。
【００１８】
施錠機構１２は、扉閉鎖に伴い格別の閉鎖動作を行うことなしに自動施錠され外部からの入室を阻止する機構を備えており、開錠のための電気信号が加えられた際にのみ開錠されるように構成されている。なお、天災等による停電その他の要因によるシステムダウンによって制御不能となった緊急事態に対応するために、適切な管理の下に機械的な開錠キーも使用可能として、緊急解除可としておくことが望ましい。カードキー挿入・読み取り部１４は、挿入されたカードキーから個人ＩＤコードを読み取り、当該電気錠本体１０の設置されている部屋番号および個人ＩＤコードその他の出力信号を発生する。
【００１９】
バイオメトリクス情報登録テーブル２０は、管理室、管理事務所、管理組合等に設置されている登録端末装置３０を介して部屋番号毎の入居者による個人ＩＤコードに加えて、指紋、虹彩のパターン、掌紋、掌の血管のパターンなどから選ばれた各個のバイオメトリクス情報を部屋番号１、２、・・・、ｎに合わせて登録しておくものである。なお、登録端末装置３０に対する各情報の登録、抹消、再登録等は管理者ないし管理事務所等により厳格に管理されなければならない。
【００２０】
また、家族等複数の同居者がいる場合は、同一部屋番号に属する記憶領域に記憶するように構成すると都合がよい。また、各個のバイオメトリクス情報による認証端末４０は、各個のバイオメトリクス情報登録テーブル２０に予め登録されている情報と同種のバイオメトリクス情報が随時読み込めるような構成となっており、条件が合致した際に、認証信号を予め設定された時間に限って出力するように構成される。
【００２１】
図1に示したシステム構成ブロック図の中央付近には、一点鎖線で囲まれた開錠条件判定論理回路５０が示されており、それぞれの条件を満足する入力信号に応じて電気錠本体１０の施錠機構に対して開錠信号を発生する。第1のＡＮＤ素子５２の第1入力端子には、部屋毎に設置される電気錠本体１０にカードキーが挿入された際に、当該電気錠の設置されている部屋番号、カードから読み取った個人ＩＤコード、その他バイオメトリクス情報から抽出されているデータ等が入力される。
【００２２】
第1のＡＮＤ素子５２の第２入力端子には、上記電気錠から伝えられる部屋番号をキーとして各個のバイオメトリクス情報登録テーブル２０から読み出された個人ＩＤコードを含むデータが入力される。このようにして第1の端子に入力される個人ＩＤコードその他のデータと第２の端子に入力される登録テーブル２０から読み出されたデータ間に同一性が認められれば、ＯＮ出力を生じＯＲ素子５４を介して電気錠本体１０の施錠機構１２に対して開錠出力を印加し、その結果施錠機構１２が開錠されて入室可能となる。
【００２３】
当然に、偽造や変造されたカードキーによる出力データは各個のバイオメトリクス情報登録テーブル２０から読み出されるデータとは一致しないため開錠のための出力は発生しない。なお、偽造カードや変造カードに対する対策としては、正当なカードに記録されるデータに個人ＩＤコードに加えて、バイオメトリクス情報から部分的に抽出したデータ、西暦および和暦による誕生年の年号の組合せ、適宜英数文字等によるパスワード等を加えておくことにより真偽データの峻別を確実にするような対策を加えることも可能である。このように、第1のＡＮＤ素子５２における判定は、カードキーを所有していて、使用されたカードキーが正当である際、開錠のためのＯＮ信号を発生するために使用される。
【００２４】
本発明におけるセキュリティ強化自動施錠装置にあっては、さらに、自動施錠機構（オートロック）ドアシステムにおいて、ウッカリしてまたは紛失等によりカードキーを持たない入室希望者が、予め登録された正当な入室許可者であることを条件として入室を可能にする構成を備えている。従来のオートロックドアシステムでは、勘違いまたは瞬時であるからと油断して、カードを所持せずに室外に出てしまい入室できなくなるような状況下では、管理人や管理室まで出向きスペアカードキーを借用し、あるいは管理人に同行してもらって開錠しなければならないような不都合があった。特に、幼少者や高齢者の家族がいる場合などこのような事態に遭遇する可能性も多くなる。上述のようにカードキーを所持せずに室外に出た場合、ないし勤務先や車内等にカードキーを忘れてきた場合や外出先でカードキーを紛失した場合等にあっても同様である。
【００２５】
このような場合、部屋の近燐、例えば同一階のエレベータの近くや廊下の端の壁面等に設置される各個のバイオメトリクス情報認証端末４０に対して、予め登録されているバイオメトリクス情報と同じ方式により各個のバイオメトリクス情報を入力する。この場合、部屋番号も入力した場合は、その部屋番号に該当する各個のバイオメトリクス情報を各個のバイオメトリクス情報登録テーブル２０から読み出し、第２のＡＮＤ素子５６に第１および第２の端子にそれぞれ印加し、同一性判断を行う。なお、部屋番号は入力しないで入力されたバイオメトリクス情報により情報登録テーブル２０の登録領域全体を電子的に操作して特定しても良い。
【００２６】
その結果、両データの同一性が確認されれば、第２のＡＮＤ素子５６は開錠に必要なＯＮ出力を、予め設定された時間にわたり発生し、ＯＲ素子５４を介して施錠機構１２に伝え、ＯＮ信号が持続する間開錠される。このような開錠は、カードキーを所持しない入室許可者の入室を管理者や管理人の協力を受けることなく認めるものであるから、適宜時間、例えば数十秒から数分認めれば足りるため、部屋数や廊下の長さ等に応じてタイマー制御により最適な時間設定を行うことが望ましい。
【００２７】
本発明に係るセキュリティ強化自動施錠装置にあっては、単に部屋番号に対応する電気錠の開錠制御に加えて、カードキー所持者の個人ＩＤコードを始め、予め登録される各個のバイオメトリクス情報から抽出した情報等を加味してカードキーの正当性を認証するように構成されており、偽造や変造のカードキーを峻別することができ、セキュリティを向上させることができる。なお、個人生態固有情報としては指紋、声紋、虹彩、掌紋、掌の静脈パターン等各種のものが開発されて実用に供されており、集合住宅等システム設置建造物の規模、利用形態、立地条件等を考慮して適宜選択することができる。
【００２８】
このように、カードキーに部屋番号ならびに電気錠特有の情報に加えて正当な入室許可者の個人情報をも加えて管理することから、居住者の退去、カードキーの紛失ないし盗難などが生じた場合、会社等グループで使用していた場合の退社者などにより入室権利を喪失した場合等にあっても、システム側の該当する個人登録情報を抹消または無効化することにより対応可能となり、高額な電気錠本体を交換する必要がなくなる。
【００２９】
さらに、住居等の扉の近くの適宜場所、エレベータの周辺、廊下端や階段踊り場等の壁面に各個のバイオメトリクス情報入力端末を設置しておくことにより、カードキーを不所持の場合でも、バイオメトリクス情報によって正当な入室許可者であることが確認されれば、所定時間にわたり開錠および入室が可能となる。管理人に対してマスターキー等による開錠を依頼しなければならない場合、深夜、早朝、休日等には不在ないし気遣い等で依頼困難な事態であっても、本人のバイオメトリクス情報の随時入力による認証によって容易に開錠・入室が可能となる。
【産業上の利用可能性】
【００３０】
本発明にかかるセキュリティ強化自動施錠装置によれば、マンション、アパート、寮、ウィークリーマンション、等々に適用することにより、バイオメトリクス情報を加味したカードキーが使用されるため入室時のセキュリティが強化され、かつ居住者等正規の入室許可者によるカードキー閉じ込み等の事態にも容易に対応可能であるため利便性が向上し、さらに、退居者やカードキー紛失等に対処するための電気錠本体の交換の費用ならびに作業時間が節減できる利点が得られる。
【図面の簡単な説明】
【００３１】
【図１】本発明に係るセキュリティ強化自動施錠装置のシステム構成を示すブロック図である。
【符号の説明】
【００３２】
１０  電気錠本体
１２  施錠機構
１４  カードキー挿入・読み取り部
２０  バイオメトリクス情報登録テーブル
３０  バイオメトリクス情報登録装置
４０  バイオメトリクス情報認証端末装置
５０  開錠条件判定論理回路
５２  第１のＡＮＤ素子
５４  ＯＲ素子
５６  第２のＡＮＤ素子
【図１】
0004701082.tif 000002